(57)【要約】【課題】ビギナーや釣り好きの餌作りにおけるストレスを解消し、環境面をも配慮した魚介類用餌料の製造方法及びその魚介類用餌料を提供する。【解決手段】この製造方法は、釣り針に刺して使用する釣り餌を製造方法であって、刺し餌を団子餌に内蔵させる第一工程と、この刺し餌を内蔵させた団子餌を粘着液に浸漬する第二工程と、この粘着液に浸漬させた団子餌の周囲に集魚剤を付着させる第三工程とを備え、これにより、ビギナーや釣り好きの餌作りにおけるストレスが解消され、かつ環境面をも配慮した釣り餌が得られる。【選択図】図１
2012039892.tif 000002
【特許請求の範囲】
【請求項１】
釣り針に刺して使用する魚介類用餌料の製造方法であって、
刺し餌を団子餌に内蔵させる第一の工程と、
前記刺し餌を内蔵させた団子餌の周囲に粘着液で集魚剤を付着させる第二の工程と
を備えたことを特徴とする魚介類用餌料の製造方法。
【請求項２】
前記第一の工程は、前記刺し餌としての魚介類を乾燥させた上で、前記団子餌の略中心に埋没させることを特徴とする請求項１記載の魚介類用餌料の製造方法。
【請求項３】
前記刺し餌としての魚介類を乾燥させるときに、他の魚介類から抽出した旨味成分を付加したものであることを特徴とする請求項２記載の魚介類用餌料の製造方法。
【請求項４】
前記団子餌は、天然の素原料に、プロピルメルカプタン、にがり及び絹糸のうちの少なくとも１つを含めたものであることを特徴とする請求項１〜３のいずれか１項に記載の魚介類用餌料の製造方法。
【請求項５】
前記第二の工程は、前記刺し餌を内蔵させた団子餌を粘着液に浸漬させた上で、前記粘着液に浸漬させた団子餌の周囲に集魚剤を付着させるものであることを特徴とする請求項１〜４のいずれか１項に記載の魚介類用餌料の製造方法。
【請求項６】
前記粘着液は、澱粉成分、魚介類と野菜類とのだし汁、プロピルメルカプタン及びにがりを混合したものであることを特徴とする請求項１〜５のいずれか１項に記載の魚介類用餌料の製造方法。
【請求項７】
前記集魚剤は、粉粒体に、絹糸を含めたものであることを特徴とする請求項１〜６のいずれか１項に記載の魚介類用餌料の製造方法。
【請求項８】
請求項１〜７のいずれか１項に記載の製造方法により製造したことを特徴とする魚介類用餌料。
【発明の詳細な説明】
【技術分野】
【０００１】
本発明は、魚介類用餌料の製造方法及びその魚介類用餌料に関し、詳しくは釣り針に刺して使用する魚介類用餌料の製造方法及びその魚介類用餌料に係るものである。
【背景技術】
【０００２】
一般的な釣りでは、市販の練り餌を使用するか、あるいは、材料を購入して自ら練り餌を作ってそれを使用している。さらに対象となる魚が好む釣り餌を購入し、それを釣り針に刺し、その刺し餌を中心に練り餌で包み、刺し餌を包んだ練り餌団子にして釣りを行う。例えば、特許文献１には、刺し餌が必ず中心にくるようにした練り餌団子の形成手段などが開示されている。
【０００３】
その他にも練り餌のみを釣り針に取り付けて行うこともあるが、いずれも目的以外の小魚（通称「餌取り」）に荒らされるなどの妨害にさらされ易く、餌持ちが悪いため、成果も期待を下回ることが多い。また、釣り針に餌を取り付けて釣りを行うときには、釣り餌を投入したポイントの周囲に過剰なまでの大量の撒き餌（集魚剤）の投げ込みを行い、釣りの効果を得るようにしている。
【発明の概要】
【発明が解決しようとする課題】
【０００４】
しかし、これらの釣りの餌作りでは、練り餌の硬さや餌種や餌量の配合比率などの多くの知識を要する。また、餌作りにおいては、悪臭のもと手や周辺を汚し、さらに餌作りに使用した容器などの洗浄も行わなくてはならず、多くの手間と時間がかかる。したがって、餌作りは、ビギナーや釣り好きには意外と難しいものであり、ストレスを生じていた。さらには、作った餌を使用しての釣りにおいては、大量に撒き餌が使用される。その量の多さゆえに時として、過剰に魚に食べ残された撒き餌が残留し、それが腐敗等して周囲の環境を乱す原因となっていた。
【０００５】
本発明は、上記事情に鑑みてなされたものであり、その目的とするところは、ビギナーや釣り好きの餌作りにおけるストレスを解消し、環境面をも配慮した魚介類用餌料の製造方法及びその魚介類用餌料を提供することを目的とする。
【課題を解決するための手段】
【０００６】
本発明は、釣り針に刺して使用する魚介類用餌料の製造方法であって、刺し餌を団子餌に内蔵させる第一の工程と、前記刺し餌を内蔵させた団子餌の周囲に粘着液で集魚剤を付着させる第二の工程とを備えたことを特徴とするものである。
【０００７】
本発明によれば、刺し餌を団子餌に内蔵させる第一の工程と、前記刺し餌を内蔵させた団子餌の周囲に粘着液で集魚剤を付着させる第二の工程とを備えたので、従来のように、団子餌の硬さや餌種や餌量の配合比率などの多くの知識を要することなく、悪臭のもと手や周辺を汚すこともない。また、餌作りに使用した容器などの洗浄も行わなくてよく、手間と時間がかからない。したがって、ビギナーや釣り好きに抵抗が生じない。
【０００８】
請求項２に記載の発明のように、前記第一の工程は、前記刺し餌としての魚介類を乾燥させた上で、前記団子餌の略中心に埋没させることが好ましい。
【０００９】
請求項２に記載の発明によれば、前記第一の工程は、前記刺し餌としての魚介類を乾燥させたので、生の魚介類を使用したときに比べて、保存期間が長くなる。また、前記団子餌の略中心に埋没させたので、餌取りに荒らされたときに刺し餌が短時間でむき出しになりにくくなり、餌持ちがよくなる。
【００１０】
請求項３記載の発明のように、前記刺し餌としての魚介類を乾燥させるときに、他の魚介類から抽出した旨味成分を付加することが好ましい。
【００１１】
請求項３記載の発明によれば、前記刺し餌としての魚介類を乾燥させるときに、他の魚介類から抽出した旨味成分を付加したので、魚の誘引効果を高めることができる。
【００１２】
請求項４記載の発明のように、前記団子餌は、天然の素原料に、プロピルメルカプタン、にがり及び絹糸のうちの少なくとも１つを含めたものであることが好ましい。
【００１３】
請求項４記載の発明によれば、前記団子餌は、天然の素原料に、プロピルメルカプタン、にがり及び絹糸のうちの少なくとも１つを含めたものであるので、目的以外の小魚から主となる刺し餌を効果的に守ることができるとともに、釣りの最中に集まってくる小魚が団子餌を食い漁ることにより、それが海中に撒き散らされ、細かい粒子と匂い、そして煙幕状の誘引効果を発生させ、ターゲットとなる魚に刺し餌を効果的に食べさせることができる。
【００１４】
請求項５記載の発明のように、前記第二の工程は、前記刺し餌を内蔵させた団子餌を粘着液に浸漬させた上で、前記粘着液に浸漬させた団子餌の周囲に集魚剤を付着させるものであることが好ましい。
【００１５】
請求項５記載の発明によれば、前記第二の工程は、前記刺し餌を内蔵させた団子餌を粘着液に浸漬させた上で、前記粘着液に浸漬させた団子餌の周囲に集魚剤を付着させるものであるので、餌持ちが良くなる。
【００１６】
請求項６記載の発明のように、前記粘着液は、澱粉成分、魚介類と野菜類とのだし汁、プロピルメルカプタン及びにがりを混合したものであることが好ましい。
【００１７】
請求項６記載の発明によれば、前記粘着液は、澱粉成分、魚介類と野菜類とのだし汁、プロピルメルカプタン及びにがりを混合したものであるので、海中で容易に溶解するとともに、雑食魚の誘引効果をもつものとなる。特に、プロピルメルカプタン及びにがりを混合したものでは、魚類の一部（チヌなど）に誘引効果を発生させることができる。
【００１８】
請求項７記載の発明のように、前記集魚剤は、粉粒体に、絹糸を含めたものであることが好ましい。
【００１９】
請求項７記載の発明によれば、前記集魚剤は、粉粒体に、絹糸を含めたものであるので、この集魚剤が海中で容易に溶解して広範囲に細かい粒子と匂い、そして煙幕状の誘引効果を発生させ、集魚効果（撒き餌）を大きく発生させることができる。
【００２０】
請求項８記載の発明は、請求項１〜７のいずれか１項に記載の製造方法により製造したことを特徴とする魚介類用餌料に係るものである。
【００２１】
請求項８記載の発明のように、請求項１〜７のいずれか１項に記載の製造方法により製造したので、本発明の作用効果を奏することができ、この製造された魚介類用餌料は、購入後に袋から取り出して、釣り針に刺すだけで直ぐに使用できるので、便利である。また、この製造された餌料は、刺し餌が団子餌で囲まれ、この団子餌が集魚剤で囲まれているから、餌持ちがよくなる。したがって、頻繁に餌料を釣り針に取り付ける作業を軽減できる。さらに、この製造された餌料は、過剰な集魚剤を使用しないから、魚に食べ残された集魚剤が残留し、それが腐敗等して周囲の環境を乱す原因ともなりにくい。
【発明の効果】
【００２２】
本発明によれば、刺し餌を団子餌に内蔵させる第一の工程と、前記刺し餌を内蔵させた団子餌の周囲に粘着液で集魚剤を付着させる第二の工程とを備えたので、従来のように、団子餌の硬さや餌種や餌量の配合比率などの多くの知識を要することなく、悪臭のもと手や周辺を汚すこともない。また、餌作りに使用した容器などの洗浄も行わなくてよく、手間と時間がかからない。したがって、ビギナーや釣り好きに抵抗が生じない。
【００２３】
請求項８記載の発明のように、請求項１〜７のいずれか１項に記載の製造方法により製造したので、本発明の作用効果を奏することができ、この製造された魚介類用餌料は、購入後に袋から取り出して、釣り針に刺すだけで直ぐに使用できるので、便利である。また、この製造された餌料は、刺し餌が団子餌で囲まれ、この団子餌が集魚剤で囲まれているから、餌持ちがよくなる。したがって、頻繁に餌料を釣り針に取り付ける作業を軽減できる。さらに、この製造された餌料は、過剰な集魚剤を使用しないから、魚に食べ残された集魚剤が残留し、それが腐敗等して周囲の環境を乱す原因ともなりにくい。
【図面の簡単な説明】
【００２４】
【図１】本発明の一実施形態に係る魚介類用餌料の製造方法の工程図である。
【図２】本製造方法の第一工程における餌の形態を示す説明図である。
【図３】本製造方法の第二工程における餌の形態を示す説明図である。
【図４】本製造方法の第三工程における餌の形態を示す説明図である。
【図５】本製造方法で完成した餌の使用状態を示す説明図である。
【発明を実施するための形態】
【００２５】
図１は本発明の一実施形態に係る魚介類用餌料の製造方法の工程図、図２は本製造方法の第一工程における餌の形態を示す説明図、図３は本製造方法の第二工程における餌の形態を示す説明図、図４は本製造方法の第三工程における餌の形態を示す説明図である。図１〜図４に示すように、この魚介類用餌料の製造方法は、刺し餌１を団子餌（練り餌）２に内蔵させることにより第一形態の餌３を製造する第一工程と、第一形態の餌３を粘着液４を入れた粘着液容器５内に浸漬することにより第二形態の餌６を製造する第二工程と、第二形態の餌６を集魚剤（撒き餌）７を入れた集魚剤容器８に入れて第二形態の餌６の周囲に集魚剤７を付着させることにより第三形態の餌９を製造する第三工程とを備えている。ここで、第一工程が第一の工程に相当し、第二工程と第三工程とが第二の工程に相当する。
【００２６】
刺し餌１は、最終的に目標の魚に食わせて釣り上げるための餌であって、季節により魚の食性が変化することを考慮して決定するものである。この刺し餌１は、例えばムラサキイガイの剥き身などの魚介類とする。これを天日干しなどの自然乾燥をして水分の１５〜５０重量％を除去することにより、刺し餌１は、身も引き締まり、サイズも縮小する。これにより、刺し餌１は、目的魚の食べやすい形となり、釣り針に刺しやすくなる。したがって、この刺し餌１は、ムラサキイガイの剥き身をそのまま使用したときに比べて、餌持ちが数倍よくなるとともに、保存期間も長くなる。この乾燥中に、生イカの内臓より抽出した液体を刺し餌全体に噴霧して風味付け加工する。このようにして、刺し餌１としての魚介類を乾燥させるときに、他の魚介類から抽出した旨味成分を付加したので、魚の誘引効果を高めることができる。
【００２７】
なお、海岸の堤防や発電所の取水口、復水器などに付着した多量のムラサキイガイは、それらの設備の機能を低下させるため、除去する必要があるが、ほとんどの場合、回収後、焼却および埋め立て処分されている。したがって、このムラサキイガイを刺し餌１に使用することで、その有効利用を図ることができる。
【００２８】
団子餌２は、天然素材の寒梅粉、小麦粉などの粘着剤、魚介類のすり身、卵黄粉、とうもろこし粉、きな粉、魚粉、えび粉、海草粉、純粋な絹糸、加熱済サツマイモ（甘芋類）、イカ抽出物、たらこ、タウリン成分、天然酵母などであり、それらを魚介類と海草を煮ることにより抽出した煮出し汁からなる液体とを程よい硬さと粘度になるまで練り合わせて団子状に整形したものである。
【００２９】
さらに、魚類の一部（チヌなど）に誘引効果を発生させることのできる玉ねぎを加熱処理したときに発生する糖質成分であるプロピルメルカプタンと海水から塩を作る際にできる余剰なミネラル成分である「にがり」と養蚕で生まれる絹糸（長さ３ｍｍ〜１５ｍｍ程度のもの）を団子餌２の材料として含めたものである。
【００３０】
このように、団子餌２は、天然の素原料に、プロピルメルカプタン、「にがり」及び絹糸のうちの少なくとも１つを含めたものであるので、目的以外の小魚（餌取り）から主となる刺し餌１を効果的に守ることができるとともに、釣りの最中に集まってくる小魚が団子餌２を食い漁ることにより、それが海中に撒き散らされ、細かい粒子と匂い、そして煙幕状の誘引効果を発生させ、ターゲットとなる魚に刺し餌１を効果的に食べさせることができる。そして、団子餌２の略中心に刺し餌１を埋没させることにより、餌取りに荒らされたときに刺し餌１が短時間でむき出しになりにくくなり、餌持ちがよくなる。
【００３１】
粘着液４は、集魚剤（撒き餌）７をその表面全体に密着させるとともに、海中に投入されたときに、表面全体に密着された集魚剤７がふわりと広範囲に細かい粒子と匂い、そして煙幕状の誘引効果を発生させることにより、集魚効果を高めるものでもある。
【００３２】
この粘着液４は、近海沿岸、磯などに生息する雑食魚の誘引効果を高くするものである。粘着液４の材料としては、魚介類と野菜類などを煮ることにより抽出した液体と、澱粉成分とからなるものである。この粘着液４には、魚類の一部（チヌなど）に誘引効果を発生させるプロピルメルカプタン及び「にがり」が使用される。
【００３３】
集魚剤７は、それを釣り針に刺した状態で海に投入して釣を行うときに、海水によってふわりと溶けながら光波に荷細かい粒子と匂い、そして煙幕状の誘引効果を発生させ、集魚剤７としての効果を大きく発生させるのみならず、従来行われている集魚剤７の大量投入を抑制するものでもある。集魚剤７の材料としては、卵黄粉、とうもろこし粉、きな粉、魚粉、えび粉、海草粉、乾燥魚卵などを配合したものからなる粉粒体であり、その中でも特に養蚕で生まれる天然成分の絹糸（長さ３〜１５ｍｍ程度のもの）を適量含めたものである。このように、刺し餌１、団子餌２、粘着液４及び集魚剤７のいずれについても、自然環境下での分解速度が速く、しかも魚介類の体内における消化吸収率も高い、環境に優しい天然の素原料を使用している。
【００３４】
引き続いて、本製造方法で完成した餌の使用状態を説明する。図５はその説明図である。
【００３５】
図５に示すように、釣り糸１１に固縛された釣り針１０に、本製造方法で完成した餌９を取り付ける。具体的には、釣り針１０を餌９の略中心に位置する刺し餌１にしっかりと刺す。それを海中に投入する。すると、海水によって集魚剤７がふわりと溶けながら細かい粒子となり匂いとともに煙幕状の誘引効果を発生する。やがて、目的の魚がやってくるが、その間に、雑魚が集魚剤７、次いで団子餌２を食い荒らす。そして、目的の魚がやってきたときに、やっと刺し餌１が表われるので、その魚は刺し餌１に食いつき、釣り上げることができる。したがって、撒き餌はまったく必要としない。これにより、従来行われている集魚剤７の大量投入を抑制することができる。
【００３６】
以上説明したように、この実施形態によれば、刺し餌１を団子餌２に内蔵させる第一工程と、刺し餌１を内蔵させた団子餌２を粘着液４に浸漬する第二工程と、粘着液４に浸漬させた団子餌２の周囲に集魚剤７を付着させる第三工程とを備えたので、従来のように、団子餌２の硬さや餌種や餌量の配合比率などの多くの知識を要することなく、その餌作りにおいても、悪臭のもと手や周辺を汚すこともない。また、餌作りに使用した容器などの洗浄も行わなくてよく、手間と時間がかからない。したがって、ビギナーや釣り好きに抵抗が生じない。
【００３７】
そして、この実施形態で製造された餌９は、購入後に袋から取り出して、釣り針１０に刺すだけで直ぐに使用できるので、便利である。また、この餌９は、刺し餌１が団子餌２で囲まれ、この団子餌２が集魚剤７で囲まれているから、餌持ちがよくなる。したがって、頻繁に餌９を釣り針１０に取り付ける作業を軽減できる。さらには、この餌９では、大量に集魚剤７が使用されることがない。したがって、従来の大量に集魚剤７が使用される場合のように、過剰に魚に食べ残され、撒き餌が残留して、それが腐敗等することにより周囲の環境を乱す原因となりえない。
【００３８】
なお、上記実施形態では、第一工程〜第三工程のすべてを実施した場合を例示したが、このうちの第一工程のみを実施してもよい。その場合には、第一形態の餌３が得られるが、この餌３を使用して釣りを行うこととしてもよい。また、第一工程で製造した第一形態の餌３に対して、第二工程、第三工程を順に繰り返すことで、集魚剤を多層構造とすることとしてもよい。これにより、集魚剤７が海中で溶ける時間を調整できるので、便利である。
【００３９】
また、上記実施形態では、第二工程において刺し餌１を内蔵した団子餌２である第一形態の餌３を、粘着液４を入れた粘着液容器５に入れることにより、その第一形態の餌３の周囲に粘着液４をコーティングして第二形態の餌６を製造したが、第一形態の餌３に粘着液４を吹き付けるなどして第二形態の餌６を製造することとしてもよい。また、粘着液４に代えて、その他の粘着性の材料を使用することとしてもよい。
【００４０】
同様に、第三工程において、第二形態の餌６を、集魚剤７を入れた集魚剤容器８に入れることにより、その第二形態の餌６の周囲に集魚剤７を密着することにより、第三形態の餌９を製造したが、第二形態の餌６に集魚剤７を吹き付けるなどして第三形態の餌９を製造することとしてもよい。
【符号の説明】
【００４１】
１  刺し餌
２  団子餌（練り餌）
３  第一形態の餌
４  粘着液
５  粘着液容器
６  第二形態の餌
７  集魚剤（撒き餌）
８  集魚剤容器
９  第三形態の餌
１０  釣り針
１１  釣り糸
【先行技術文献】
【特許文献】
【００４２】
【特許文献１】特開平１１−１８６５９号公報
【図１】
2012039892.tif 000003
【図２】
2012039892.tif 000004
【図３】
2012039892.tif 000005
【図４】
2012039892.tif 000006
【図５】
2012039892.tif 000007